(57)【要約】【課題】遊技機の組立工程において基板保護ケース側の基板側コネクタに対して外部コネクタが半差し状態で接続されている場合であっても、生産性の大幅な原因となる半差しチェック、及び修正工程を実施することなく半差しを解消する。【解決手段】基板側コネクタ４１を支持した基板保護ケース本体２５と、基板側コネクタに接続された外部コネクタ８０及びハーネス８１を覆うために基板保護ケース本体に対して装着されるコネクタカバー５０と、基板側コネクタに着脱自在に接続される外部コネクタと、を備え、コネクタカバーには、基板保護ケース本体に装着された時に外部コネクタを押圧して半差しを解消する半差し防止片５５が設けられている。【選択図】図２
2010187933.tif 000002
【特許請求の範囲】
【請求項１】
内部に収容した制御基板に設けた基板側コネクタを露出させた基板保護ケース本体と、該基板側コネクタに接続された外部コネクタ及びハーネスを覆うために前記基板保護ケース本体に対して装着されるコネクタカバーと、前記基板側コネクタに着脱自在に接続される前記外部コネクタと、を備え、
前記コネクタカバーには、前記基板保護ケース本体に装着される際に前記外部コネクタを直接又は前記ハーネスを介して間接的に押圧して前記基板側コネクタへの半差し状態を解消し且つ外部コネクタの不正抜取りを防止する半差し防止片が設けられていることを特徴とする基板保護ケースユニット。
【請求項２】
前記コネクタカバーは、細幅帯状のカバー本体と、該カバー本体から突設されて前記基板保護ケース本体側に設けたカバー係止部と係止されるカバー被係止部と、前記カバー本体から突設された前記半差し防止片と、を備えたことを特徴とする請求項１に記載の基板保護ケースユニット。
【請求項３】
請求項１又は２に記載の基板保護ケースユニットと、前記基板保護ケース本体をケース着脱経路に沿って移動させることによって前記基板保護ケース本体を着脱自在に係止する係止部を備えた遊技機本体側のベース部材と、を備えた基板保護ケースユニットの設置構造であって、
前記ベース部材には、前記係止部により係止された前記基板保護ケースがケース離脱方向へ移動することを阻止する移動阻止部材が設けられており、
前記コネクタカバーは、前記外部コネクタ、或いは該外部コネクタから延びるハーネスの少なくとも一部を包囲するカバー本体と、前記基板保護ケース側に設けたカバー係止部に対して該カバー本体を前記ケース離脱方向とは逆のカバー装着方向へ移動させることによって該カバー係止部により係止されるように該カバー装着方向へ突出したカバー被係止部と、該カバー本体に配置され且つ該カバー装着方向とは逆方向のカバー離脱方向へ突出したストッパ突起と、を備え、
前記ベース部材には、前記コネクタカバーを装着した前記基板保護ケースを前記係止部に係止した時に、前記ストッパ突起を嵌合して保持するストッパ部材を備え、
前記移動阻止部材が、前記係止部により係止された前記基板保護ケースの前記ケース離脱方向への移動を阻止することにより、前記ストッパ突起が前記ストッパ部材から離脱できないように構成したことを特徴とする基板保護ケースユニットの設置構造。
【請求項４】
請求項１、２、又は３に記載の基板保護ケースユニットを備えたことを特徴とする遊技機。
【発明の詳細な説明】
【技術分野】
【０００１】
本発明は、パチンコ遊技機、スロットマシン等の各種遊技機に搭載された制御基板を収容する基板保護ケースユニットの改良に関し、特に工場における組立工程において基板保護ケース側の基板側コネクタに対して外部コネクタが半差し（接続不良）状態で接続されている場合であっても、格別の半差しチェック、修正工程を実施することなく半差しを解消することができる基板保護ケースユニット、基板保護ケースユニットの設置構造、及び遊技機に関する。
また、不正行為者が基板側コネクタに対して接続されている正規の外部コネクタを離脱させて不正な外部装置等と接続された不正外部コネクタを基板側コネクタに接続して不正な信号を供給して遊技を不正に進行させようとする行為を防止することができる基板保護ケースユニット、基板保護ケースユニットの設置構造、及び遊技機に関する。
【背景技術】
【０００２】
パチンコ遊技機、スロットマシン等の各種遊技機に搭載される制御基板上のＲＯＭを不正に取り換えることにより、遊技内容を遊技者に都合よく進行させて出球を獲得する不正行為が所謂ゴト師によって行われ、その手法は巧妙化している。
このような不正行為に対処するためにＲＯＭを含んだ制御基板を基板保護ケース内に収容して不正にＲＯＭを交換できないようにする対策が採られている（特許文献１）。
一方、基板保護ケース内に収容された制御基板に設けた基板側コネクタは、遊技機に搭載された他のプリント基板やホール側の制御装置（外部装置）等との間で信号の授受を行うためにこれら外部装置から延びるハーネスに固定された外部コネクタと接続する必要があるため、基板保護ケースから露出した状態で配置されている。
ところで、基板側コネクタに対して外部コネクタを接続する作業は、遊技機製造ラインにおいて自動的に、或いは人手によって実施されるが、外部コネクタが半差し（接続不良）状態となることがある。外部コネクタが半差しのままで出荷されると、遊技場への搬入、設置後に遊技機の作動不良をもたらし、その原因の究明、修理に多大な労力と時間を要することとなる。このため、製造工程中に半差しの有無をチェックするための検査工程が別途必要となり、生産性を低下させる原因となっていた。
【０００３】
また、従来の基板側コネクタは外部コネクタとの着脱の利便性を考慮して、基板保護ケースに設けた開口部から露出配置されていたため、不正なデータを制御基板に送信するために不正な制御装置から延びるハーネスに固定された外部コネクタを基板側コネクタに接続する不正行為が可能であった。例えば、不正データを制御基板に送信することにより遊技内容を自己に有利に進行させて出玉を獲得したり、図柄装置上の図柄を回転させる回路に接続された基板側コネクタを利用して不正データを送信して図柄を不正に回転させ続けたり、或いは、始動口を作動させる回路と接続された基板側コネクタを利用して始動口を不正に作動させるためのデータを送信する等の不正行為が可能となる。
【０００４】
図１５は従来の基板保護ケースの構成を示す分解斜視図であり、図１６は図１５の拡大図であり、図１７は基板保護ケースの組付け状態を示す斜視図である。
基板保護ケース１００は、内部に制御基板１０５を収容するケース本体１０１と、ケース本体１０１を回動自在に支持し且つ遊技機のベース部材１２０に組み付けられる台座１１０と、から構成されている。この例では、台座１１０を支持するベース部材１２０は、遊技機本体１２１に対して組み付けられる遊技盤１２２であるが、遊技盤１２２の背面に装備された他の電装部品支持部材により台座１２０を支持する構成もある。
ケース本体１０１は、閉止状態にある下ケース１０２と上ケース（ケース蓋）１０３との間に制御基板１０５を収容した状態でその周縁部をカシメ締結手段等によって接合させた構成を備えている。
【０００５】
ベース部材１２０は、係止用の穴から成る係止部１２０ａを複数個有し、台座１１０の背面にＬ字状に突設した被係止部１１０ａを各係止部１２０ａ内に嵌合させてから台座１１０を横方向へスライドさせることにより各係止部１２０ａに対する各被係止部１１０ａの装着を完了する。台座１１０の上端縁に設けた２つの軸部１１０ｂには、下ケース片１０２の上端縁に設けた２つのフック部１０２ａが係合し、下ケース片１０２は軸部１１０ｂを中心として上下方向へ回動自在に支持される。このため、制御基板１０５を間に挟んで下ケース片に対して上ケース片１０３を組付けることによりケース本体１０１が全体として上下方向へ回動自在となる。
制御基板１０５の上側端縁に沿った位置には各基板側コネクタ１０６が配置されており、上ケース片１０３の上側端縁に沿った位置には各基板側コネクタ１０６を露出させるための開口部１０３ａが設けられている。
【０００６】
図１７（ａ）に示したように開口部１０３ａ内に露出した基板側コネクタ１０６の端子部に対して図示しない外部装置等から延びるハーネス１３０の先端に固定された外部コネクタ１３１が接続される。外部コネクタ１３１は、図１７（ｂ）（ｃ）に示すようにその下面に基板側コネクタ１０６に接続された状態で基板側コネクタの一部と係合することにより外部コネクタのロック状態を維持するロック片（ラッチ）１３２と、手動操作によりロック状態を解除する解除片（ラッチ）１３３とを有しており、（ｃ）の左図に示したロック状態を解除して右図のように離脱させるには指によって解除片１３３を押圧して引き抜けばよい。
しかし、従来の基板保護ケースにあっては、外部コネクタの解除片１３３が露出された状態となっているため、不正行為者が解除片１３３を押圧すれば正規外部コネクタ１３１を基板側コネクタ１０６から外すことができ、不正を目的とする外部装置と接続された不正外部コネクタを基板側コネクタと接続させた上で、不正なデータを制御基板に送り込むことが可能であった。
【先行技術文献】
【特許文献】
【０００７】
【特許文献１】特開２００６−１３０３５２公報
【発明の概要】
【発明が解決しようとする課題】
【０００８】
以上のように、従来の遊技機の製造ラインで基板側コネクタに対して外部コネクタを接続する作業工程においては、コネクタ数が多いために一部の外部コネクタが半差し状態となることがあり、この場合には接続不良状態のまま出荷される虞があった。この不具合を回避するために半差し検査工程を設けるとすれば、生産性が大幅に低下する虞があった。
また、基板保護ケースに露出配置された基板側コネクタに対して外部コネクタを容易に着脱できる構造であったため、不正行為者が正規の外部コネクタに代えて不正な外部コネクタを差し替え接続することが容易であり、その結果不正データを制御基板に供給することによる遊技機の不正操作が可能であった。
本発明は上記に鑑みてなされたものであり、工場における遊技機の組立工程において基板保護ケース側の基板側コネクタに対して外部コネクタが半差し（接続不良）状態で接続されている場合であっても、生産性の大幅な原因となる半差しチェック、及び修正工程を実施することなく半差しを解消することができる基板保護ケースユニット、基板保護ケースユニットの設置構造、及び遊技機を提供することを目的としている。
また、本発明は、半差しを防止する手段により不正行為者が基板保護ケース側に露出配置された基板側コネクタに対して接続されていた正規の外部コネクタを離脱させる行為を阻止することにより、不正外部コネクタを基板側コネクタに接続して不正なデータを供給して遊技を不正に進行させる行為を防止することを目的としている。
【課題を解決するための手段】
【０００９】
上記目的を達成するため、請求項１の発明に係る基板保護ケースユニットは、内部に収容した制御基板に設けた基板側コネクタを露出させた基板保護ケース本体と、該基板側コネクタに接続された外部コネクタ及びハーネスを覆うために前記基板保護ケース本体に対して装着されるコネクタカバーと、前記基板側コネクタに着脱自在に接続される前記外部コネクタと、を備え、前記コネクタカバーには、前記基板保護ケース本体に装着される際に前記外部コネクタを直接又は前記ハーネスを介して間接的に押圧して前記基板側コネクタへの半差し状態を解消し且つ外部コネクタの不正抜取りを防止する半差し防止片が設けられていることを特徴とする。
工場において基板側コネクタに外部コネクタを接続する作業を行う際に外部コネクタが半差し状態となることがある。半差しされた外部コネクタの有無を検査する工程を設けることは生産性の低下をもたらす原因となる。本発明では、外部コネクタを覆うために基板保護ケースに装着されるコネクタカバーに半差し防止片を設けたので、コネクタカバー装着時に確実に半差し状態にある外部コネクタを基板側コネクタに押し込んで完全な装着状態とすることができる。
【００１０】
また、遊技機に設置される基板保護ケースには外部コネクタを着脱するための基板側コネクタが露出配置されているため、正規の外部コネクタを不正外部コネクタと差し替えて不正データを制御基板に供給することによる不正行為が行われる可能性がある。このような不正行為を防止するために、外部コネクタの差し替えを防止するコネクタカバーを基板保護ケースに装着した場合であっても万全ではなく、コネクタカバーと基板保護ケースとの間隙を利用して外部コネクタに設けたラッチを解除して離脱させれば外部コネクタの差し替えは依然として可能であった。
本発明では、基板保護ケース対して外部コネクタを覆うコネクタカバーを装着すると共に、コネクタカバーから突設した半差し防止片により外部コネクタの離脱を阻止するように構成したので、コネクタカバーと基板保護ケースとの間隙から指や治具を差し込んだとしてもラッチを操作して解除することはできない。このため、外部コネクタの差し替えを効果的に防止できる。
【００１１】
請求項２の発明に係る基板保護ケースユニットは、前記コネクタカバーは、細幅帯状のカバー本体と、該カバー本体から突設されて前記基板保護ケース本体側に設けたカバー係止部と係止されるカバー被係止部と、前記カバー本体から突設された前記半差し防止片と、を備えたことを特徴とする。
【００１２】
請求項３の発明に係る基板保護ケースユニットの設置構造は、請求項１又は２に記載の基板保護ケースユニットと、前記基板保護ケース本体をケース着脱経路に沿って移動させることによって前記基板保護ケース本体を着脱自在に係止する係止部を備えた遊技機本体側のベース部材と、を備えた基板保護ケースユニットの設置構造であって、前記ベース部材には、前記係止部により係止された前記基板保護ケースがケース離脱方向へ移動することを阻止する移動阻止部材が設けられており、前記コネクタカバーは、前記外部コネクタ、或いは該外部コネクタから延びるハーネスの少なくとも一部を包囲するカバー本体と、前記基板保護ケース側に設けたカバー係止部に対して該カバー本体を前記ケース離脱方向とは逆のカバー装着方向へ移動させることによって該カバー係止部により係止されるように該カバー装着方向へ突出したカバー被係止部と、該カバー本体に配置され且つ該カバー装着方向とは逆方向のカバー離脱方向へ突出したストッパ突起と、を備え、前記ベース部材には、前記コネクタカバーを装着した前記基板保護ケースを前記係止部に係止した時に、前記ストッパ突起を嵌合して保持するストッパ部材を備え、前記移動阻止部材が、前記係止部により係止された前記基板保護ケースの前記ケース離脱方向への移動を阻止することにより、前記ストッパ突起が前記ストッパ部材から離脱できないように構成したことを特徴とする。
コネクタカバーに設けた半差し防止片により外部コネクタの半差しを解消し、且つ外部コネクタの不正な引抜きを防止する構成と、コネクタカバーをベース部材に固定して外部コネクタを着脱不能とする構成を組み合わせることにより、より確実に不正行為を阻止することが可能となる。
【００１３】
請求項４の発明に係る遊技機は、請求項１、２、又は３に記載の基板保護ケースユニットを備えたことを特徴とする。
【発明の効果】
【００１４】
本発明では、基板側コネクタに外部コネクタが半差し状態にあるときに、コネクタカバーを基板保護ケースに装着するだけで、コネクタカバーに設けた半差し防止片が外部コネクタを押圧して半差しを解消することができるので、格別の半差しチェック工程、修正工程が不要となる。
また、基板側コネクタに対して接続された外部コネクタをコネクタカバーにより覆うばかりでなく、外部コネクタ、或いはハーネスをコネクタカバーの一部（半差し防止片）により押圧して解除操作できないように構成したので、コネクタカバーを取り外さない限り不正外部コネクタと差し替える行為を実施することが不可能となる。つまり、不正行為者が基板保護ケース側に露出配置された基板側コネクタに対して接続されていた正規の外部コネクタを離脱させて不正外部コネクタを基板側コネクタに接続して不正なデータを供給して遊技を不正に進行させようとする行為を防止することができる。
【図面の簡単な説明】
【００１５】
【図１】本発明の基板保護ケースユニットを備えたパチンコ遊技機の背面図である。
【図２】パチンコ遊技機の主要構成要素を含む基板保護ケースの分解斜視図である。
【図３】基板保護ケースの分解斜視図である。
【図４】基板保護ケースに対してコネクタカバーを取り付ける手順を示す斜視図である。
【図５】基板保護ケースに対してコネクタカバーを取り付ける手順を示す斜視図である。
【図６】（ａ）（ｂ）はコネクタカバーの外観を示す斜視図である。
【図７】（ａ）（ｂ）（ｃ）及び（ｄ）はコネクタカバーの正面図、平面図、底面図、及び右側面図である。
【図８】コネクタカバーを装着した基板保護ケースをベース部材に対して装着する手順を説明する背面側斜視図である。
【図９】コネクタカバーを装着した基板保護ケースをベース部材に対して装着する手順を説明する他の斜視図である。
【図１０】（ａ）（ｂ）及び（ｃ）はコネクタカバーを装着した基板保護ケースをベース部材に対して装着する手順を示す背面図である。
【図１１】（ａ）（ｂ）及び（ｃ）は本発明を適用する基板保護ケースの正面斜視図、コネクタ部を下方から見た斜視図、及び外部コネクタの着脱操作手順を説明する側面図である。
【図１２】コネクタカバーを装着する直前の状態を示す斜視図である。
【図１３】（ａ）（ｂ）はコネクタカバー装着前、及び装着後の状態を示す側面図である。
【図１４】（ａ）（ｂ）はコネクタカバーの装着に伴って半差し防止変が外部コネクタを押さえ込む状態を示す斜視図である。
【図１５】従来の基板保護ケースの構成を示す分解斜視図である。
【図１６】図１５の拡大図である。
【図１７】（ａ）（ｂ）及び（ｃ）は基板保護ケースの組付け状態を示す斜視図である。
【発明を実施するための形態】
【００１６】
以下、本発明を図面に示した実施の形態により詳細に説明する。
図１は本発明の基板保護ケースユニット（基板保護ケースユニットの設置構造）を備えたパチンコ遊技機の背面図であり、図２はこのパチンコ遊技機の主要構成要素を含む基板保護ケースの分解斜視図であり、図３は基板保護ケースの分解斜視図であり、図４及び図５は基板保護ケースに対してコネクタカバーを取り付ける手順を示す斜視図であり、図６（ａ）及び（ｂ）はコネクタカバーの外観を示す斜視図であり、図７（ａ）（ｂ）（ｃ）及び（ｄ）はコネクタカバーの正面図、平面図、底面図、及び右側面図であり、図８はコネクタカバーを装着した基板保護ケースをベース部材に対して装着する手順を説明する背面側斜視図であり、図９はコネクタカバーを装着した基板保護ケースをベース部材に対して装着する手順を説明する他の斜視図であり、図１０（ａ）（ｂ）及び（ｃ）はコネクタカバーを装着した基板保護ケースをベース部材に対して装着する手順を示す背面図である。
【００１７】
本発明に係る基板保護ケースユニット１は、パチンコ遊技機等の遊技機本体７０に対して背面側（後面側）から組み付けられるベース部材２の背面に着脱自在に組み付けられる基板保護ケース２０と、基板保護ケース２０に対して着脱自在に装着されるコネクタカバー５０と、基板側コネクタに着脱自在に接続される外部コネクタ８０と、を含んで概略構成されている。
更に、本発明に係る基板保護ケースユニットの設置構造は、基板保護ケースユニット１と、ベース部材２と、ベース部材２に設けられて係止部３により係止された基板保護ケース２０がケース装着方向Ａへ移動することを阻止するストッパ部材５と、ベース部材２に組み付けられた基板保護ケース２０の移動を阻止する移動阻止部材６０と、を含んで概略構成されている。
遊技機本体７０に設けた開口７１内にはベニヤ板、アクリル板等から成る遊技盤２から成るベース部材２が装着される。ベース部材２の背面に対しては基板保護ケース２０が着脱自在に装着される。ベース部材２の背面に基板保護ケース２０を装着した際には、ベース部材背面に突設された移動阻止部材６０が基板保護ケースの横方向（離脱方向）への移動を常時阻止しており、ベース部材２を遊技機本体７０から離脱させて移動阻止部材と基板保護ケースとの係合を解除しない限り、基板保護ケース２０だけをベース部材２から離脱させることが困難な構成となっている。
なお、基板保護ケース２０を装着する対象物としてのベース部材２は、遊技盤自体である必要はなく、遊技盤に固定された電装部品支持部材であってもよい。
【００１８】
基板保護ケース２０は、ＲＯＭを始めとした電子部品を搭載した制御基板（プリント基板）４０を内部に収容した状態でベース部材２の背面に組み付けられる。即ち、基板保護ケース２０は、ベース部材２に設けた係止部３により係止されることによりベース部材に直接組み付けられる台座２１と、制御基板４０を内部に収容した状態で台座２１によって上下方向へ開閉自在に軸支された基板保護ケース本体（以下、ケース本体と称する）２５と、を備えている。ケース本体２５は、制御基板４０を間に挟んだ状態で内部に収容する透明な樹脂製の２つのケース片（下ケース片２６、上ケース片３０）を備えている。両ケース片２６、３０は、開閉自在であり、両ケース片が閉止状態にあるときにカシメ穴２６ａ、３０ａ内に図示しないカシメピンを圧入することにより締結固定される。
ケース本体２５を構成する下ケース片２６は、台座２１に設けた軸支部（軸部）２１ａに対して装着される被軸支部（フック部）２６ｂを有し、軸支部２１ａに被軸支部２６ｂが軸支された際にケース本体２５は台座２１に対して、上端縁を回動中心として上下方向（図４のイ・ロ方向）へ開閉自在となる。
【００１９】
台座２１は、ベース部材２に対してケース本体２５を取り付けるための連結手段であり、ケース本体２５は軸支部２１ａを中心として上方向（イ）及び下方向（ロ）へ回動する。制御基板４０を収容したケース本体２５は、下ケース片２６を台座２１を介してパチンコ遊技機等の遊技盤の背面（ベース部材２）に添設させた状態で組み付けられるため、遊技盤の背面側から上ケース片３０を通して内部の制御基板面に搭載された電子部品を視認することができる。また、台座２１の上部に位置する軸支部２１ａを中心としてケース本体２５を上方（イ）に回動させることにより、透明な下ケース片２６の底面からケース本体内部を確認することができる。
但し、後述するように本発明においては、ベース部材２を遊技機本体７０から取り外さない限り、台座２１に対してケース本体２５を開放方向へ回動させることはできないように構成されている。ケース本体２５を台座２１側に閉じた状態では、後述するストッパ部材５と移動阻止部材６０が障害となって、ケース装着方向Ａ、及びケース離脱方向Ｂへの移動が禁止されるからである。
【００２０】
本発明に係る基板保護ケースユニット１の更に詳細な特徴は、ベース部材２に係止される台座２１と、外部コネクタ８０を着脱できるように基板側コネクタ４１を露出させる開口部３１、及び被係止部２２を備え、且つ制御基板４０を収容するケース本体２５と、基板側コネクタ４１に接続された外部コネクタ８０（ハーネス８１）の少なくとも一部を覆うために基板保護ケース２０（ケース本体２５）に対して装着されるコネクタカバー５０と、基板保護ケースをケース着脱経路Ａ・Ｂ（図２）に沿って往復動させることによって被係止部２２を着脱自在に係止する係止部３を備えた遊技機本体側のベース部材２と、ベース部材２に設けられて係止部３により係止された基板保護ケース２０（コネクタカバー５０）がケース装着方向Ａ（カバー離脱方向Ｄ）へ移動することを阻止するストッパ部材５と、ベース部材２に設けられて係止部３により係止された基板保護ケース２０がケース離脱方向Ｂへ移動することを阻止する移動阻止部材６０と、を備えた構成にある。
移動阻止部材６０をベース部材にネジ止めにより固定する場合、背面側からドライバー等を用いてネジを取外しできないように構成するのが好ましい。例えば、ベース部材の前面からでないとネジを取り外しできないように構成する。
なお、移動阻止部材６０はベース部材２に固定されている必要はなく、ベース部材の前方に位置する他の部材に固定された移動阻止部材がベース部材に設けた開口から後方へ突出していてもよい。
【００２１】
コネクタカバー５０は、全ての外部コネクタ８０を包囲するに足りる形状、寸法を有した板状のカバー本体５１と、基板保護ケース側に設けたカバー係止部（係止穴）３２に対してカバー本体５１をケース離脱方向Ｂと並行なカバー装着方向Ｃへ移動させることによってカバー係止部３２により係止されるように先端部がカバー装着方向Ｃへ突出したカバー被係止部（カバー被係止突起）５２と、カバー被係止部５２よりもカバー離脱方向Ｄ（ケース装着方向Ａと並行な方向）寄りのカバー本体端部に配置され且つカバー離脱方向Ｄへ突出したストッパ突起５３と、を備えている。なお、ストッパ突起５３の形成位置は、カバー本体端部に限らず、カバー本体の適所であればよい。
更に、ベース部材２には、コネクタカバー５０を装着した基板保護ケース２０を係止部３に係止した時に、ストッパ突起５３を嵌合して保持する穴５ａを有したストッパ部材５を設け、移動阻止部材６０が、係止部３により係止された基板保護ケースのケース離脱方向Ｂへの移動を阻止することにより、ストッパ突起５３がストッパ部材５から離脱できないように構成している。
ベース部材２に設けた係止部３と、基板保護ケース２０（台座２１）に設けた被係止部２２とから成る係止機構は、図８、図９に示すように矩形の係止穴から成る係止部３内に、Ｌ字状の突起から成る被係止部２２を差し込んでからケース装着方向Ａに移動させることにより係止状態となり、基板保護ケースをケース離脱方向Ｂへ移動させない限り基板保護ケースをベース部材から離脱させ得る状態とはならない。
【００２２】
図６、及び図７に示した構成を備えたコネクタカバー５０は、図４、図５に示すように、カバー本体５１と、基板保護ケース側に設けたカバー係止部（係止穴）３２により係止されるＬ字状のカバー被係止部５２と、ベース部材２に設けられたストッパ部材５に設けた穴５ａ内に嵌合するストッパ突起５３と、を備えている。
穴状のカバー係止部３２とＬ字突起状のカバー被係止部５２とからなるカバー係止機構は、カバー係止部３２内にカバー被係止部５２を嵌合させてからケース装着方向Ａとは逆のカバー装着方向Ｃ（ケース離脱方向Ｂと並行な方向）へコネクタカバー５０を移動させることにより、上ケース片３０に対して係止状態となるように構成されている。この係止状態において、コネクタカバー５０をケース装着方向Ａと並行なカバー離脱方向Ｄへ移動させることにより、コネクタカバーは上ケース片３０から離脱可能な状態となる。
コネクタカバー５０は、カバー本体５１をカバー装着方向Ｃへ移動させることによってカバー係止部３２により係止されるようにカバー装着方向Ｃへ向けて先端部が突出したＬ字状のカバー被係止部５２と、カバー被係止部５２よりもカバー離脱方向Ｄ寄りのカバー本体端部に配置され且つ先端部がカバー離脱方向Ｄへ突出したストッパ突起５３と、を備えている。
各カバー被係止部５２の先端部とは逆方向（カバー離脱方向Ｄ）に向けて突出したストッパ突起５３は、基板保護ケース２０をベース部材２に装着完了したときにストッパ部材５の穴５ａ内に嵌合するように構成されている。
【００２３】
従って、基板保護ケースが移動阻止部材６０によってケース離脱方向Ｂへの移動を禁止されている状態においては、ストッパ突起５３はストッパ部材の穴５ａから離脱できないため、コネクタカバー５０をカバー離脱方向Ｄへ移動できず、コネクタカバーをケース本体２５から離脱させることはできない。
なお、台座２１に設けた軸支部２１ａとストッパ突起５３は高さ位置が異なる（同一軸線上にない）ため、ストッパ突起をストッパ部材５に嵌合した状態では、軸支部２１ａを中心としてケース本体２５を上方向（イ）へ回動させることは不可能となる。このため、ベース部材２と共に基板保護ケースを遊技機本体７０から取り外さない限り、コネクタカバーをケース本体から取り外すことはできない。
図５のようにコネクタカバー５０をケース本体２５（上ケース片３０）に係止した際にはカバー本体５１が基板側コネクタ４１に接続された外部コネクタ８０及びハーネス８１を押えつつ隠蔽するため、コネクタカバー５０を除去しない限り、正規の外部コネクタ８０を取り外して不正な外部コネクタを接続することはできない。
【００２４】
図１０（ａ）（ｂ）及び（ｃ）は、ケース本体２５にコネクタカバー５０を装着した基板保護ケース２０をベース部材２に取り付ける手順を示している。
ベース部材２に基板保護ケース２０を取り付ける際には、ベース部材２を遊技機本体７０から離脱させ、且つ移動阻止部材６０をベース部材２に取り付けない状態で行う。
即ち、まず図１０（ａ）に示すようにベース部材２に移動阻止部材６０を配置しない状態で基板保護ケース２０を構成する台座２１に設けた被係止部２２をベース部材に設けた係止部３内に差し込んでからケース装着方向Ａへ移動させて係止を完了する。このとき、コネクタカバー５０のストッパ突起５３がベース部材側のストッパ部材５により保持された状態となっている（（ｂ））。
このように基板保護ケース２０をセット位置に位置決め完了した後で、破線で示した移動阻止部材設置箇所６０ａに移動阻止部材６０を固定（突設）することにより、ベース部材２上に対する基板保護ケース２０の設置が完了する（（ｂ））。この状態では、基板保護ケース２０はケース離脱方向Ｂへの移動を規制されているため、ストッパ部材５により移動を規制されたコネクタカバーだけをカバー離脱方向Ｄへ移動させてケース本体２５から離脱させることは不可能となる。このため、基板側コネクタ４１に接続された外部コネクタ８０を取り外して不正外部コネクタと差し替えることは不可能となる。
基板保護ケースをベース部材から取り外す場合には、まず、基板保護ケースを保持したベース部材２を遊技機本体７０から取り外すことにより、ベース部材２から移動阻止部材６０を取外し可能な状態とする。（ｃ）は移動阻止部材を取り外した状態を示しており、この状態では基板保護ケースをケース離脱方向Ｂへ移動させることが可能となっているため、コネクタカバー５０をケース本体２５から離脱させることも可能となる。
【００２５】
以上のように本発明では、基板保護ケース２０をベース部材２に対して装着した状態（基板保護ケースとベース部材とが近接した状態）において、基板保護ケース（ケース本体２５）をケース離脱方向Ｂへ移動しない限りコネクタカバーに設けたストッパ突起５３がストッパ部材５から離脱することができないように構成し、更に移動阻止部材６０が基板保護ケース２０（ケース本体２５）をケース離脱方向Ｂへ移動させることを阻止するように構成したため、ベース部材２を遊技機本体７０から離脱させない限り、不正行為者はコネクタカバーを離脱させることができない。
なお、ベース部材２を遊技機本体７０から離脱させない場合であっても、仮にケース本体２５を軸支部２１ａを中心として上方向（イ）に回動させて台座２１（移動阻止部材６０）から離間させることができれば、軸支部２１ａに沿ってケース本体２５をケース離脱方向Ｂへ移動させてベース部材から基板保護ケース２０を離間させることが可能となる。このため、コネクタカバーのストッパ突起５３をストッパ部材の穴５ａから離脱させてケース本体からコネクタカバーを離脱させることができる筈である。しかし、本実施形態においては、ベース部材２上に基板保護ケース２０をセットした状態では、コネクタカバーのストッパ突起５３がベース部材側のストッパ部材５により保持され続けているため、ストッパ突起とストッパ部材が障害となってケース本体２５を開放方向へ回動させることができない。従って、コネクタカバーを取り外すことは不可能となる。
なお、正規外部コネクタを不正な外部コネクタと差し替える不正行為が、遊技場の営業中に行われる場合には、不正行為に費やせる時間は僅かしかないため、本実施形態のようにコネクタカバーを取り外すための障害物を設けることにより、不正行為を効果的に阻止することが可能となる。
また、上記実施形態では、ケース装着・離脱方向を横方向としたが、上下方向、斜め方向、その他の方向であってもよいことは勿論である。
【００２６】
次に、図１１乃至図１４により外部コネクタの半差しを解消すると共に、不正に外部コネクタを差し替える行為を阻止するための構成例について説明する。図１１（ａ）（ｂ）及び（ｃ）は本発明を適用する基板保護ケースの正面斜視図、コネクタ部を下方から見た斜視図、及び外部コネクタの着脱操作手順を説明する側面図であり、図１２はコネクタカバーを装着する直前の状態を示す斜視図であり、図１３（ａ）及び（ｂ）はコネクタカバー装着前、及び装着後の状態を示す側面図であり、図１４（ａ）及び（ｂ）はコネクタカバーの装着に伴って半差し防止片が外部コネクタを押圧する状態を示す斜視図である。
図１１（ｂ）（ｃ）等に示すように外部コネクタ８０の下面（ハーネス８１が延びる方向と逆方向側の面）には、基板側コネクタ４１に接続された状態で外部コネクタをロックする係止部８５ａを有したロック片８５と、ロック状態を解除する解除片８６とが設けられている。ロック片８５と解除片８６とは、コネクタのラッチ（爪）８７を構成している。ロック片８５はその係止部８５ａが基板側コネクタ４１の一部（被係止部）と係合することにより外部コネクタ８０の離脱を阻止する機能を有し、ロック片８５に連設された解除片８６はこれを外部コネクタ本体側へ押圧してシーソー式にロック片８５を基板側コネクタの被係止部から離間させてロック解除させる機能を有する（図１１（ｃ））。例えば、ラッチ８７全体を弾性材料から構成し、常時においてはロック片８５が基板側コネクタ４１の被係止部に係合するように弾性付勢されている一方で、解除片８６を押圧したときにはロック片の係合が解除されるように構成される。（ｃ）の上図のようにロック片８５の係止を解除することにより外部コネクタ及びハーネスは、基板側コネクタ４１から離脱可能な状態となり、（ｃ）の下部のように矢印方向へ引き抜くことにより離脱される。
【００２７】
このように外部コネクタの解除片８６は、コネクタカバー本体５１とケース本体２５（上ケース片３０との間隙内に常に露出した状態にあるため、コネクタカバー５０を用いて外部コネクタ８０及びハーネス８１を押さえ込んだとしても、カバー本体５１と上ケース片２０との間に形成される隙間から指や治具等を差し入れて解除片８６を押圧操作して外部コネクタを離脱させることが可能である。
即ち、コネクタカバー５０を用いて外部コネクタ８０及びハーネス８１を押さえ込んだとしても、各部品間の精度誤差や組付け誤差等によって外部コネクタを基板側コネクタから離脱させることができる状況も十分に想定される。また、治具を用いてコネクタカバー本体と上ケース片との間隙を押し広げつつ解除片を操作して外部コネクタを離脱させてから、不正な外部コネクタを接続する等の不正行為がなされる可能性もある。
要するに、コネクタカバーによる外部コネクタの押さえ込みだけでは不正防止が十分でないことが想定されるため、更なる防護手段による外部コネクタの着脱防止を図る必要がある。
【００２８】
上記の如き不正行為を排除するために本発明の基板保護ケースユニットは次のような構成を備える。
即ち、本発明の基板保護ケースユニット１は、内部に収容した制御基板４０に設けた基板側コネクタ４１を露出させるための開口部３１を備えた基板保護ケース本体２５と、基板側コネクタ４１に接続された外部コネクタ８０及びハーネス８１を覆うために基板保護ケース本体に対して装着されるコネクタカバー５０と、基板側コネクタに着脱自在に接続される外部コネクタ８０と、を備え、コネクタカバー５０には、基板保護ケース本体２５に装着される際に外部コネクタ８０を直接又はハーネス８１を介して間接的に押圧して基板側コネクタ４１への半差し状態を解消し、且つコネクタカバー装着後には外部コネクタの不正な抜取りを阻止する半差し防止片（半差し防止及び抜取り防止片）５５が設けられている。
【００２９】
コネクタカバー５０は、図６、図７に示したように細幅帯状のカバー本体５１と、カバー本体からその面方向と交差（直交）する方向へ突設されて基板保護ケース本体側に設けたカバー係止部３２と係止されるカバー被係止部５２と、を備えているが、更にカバー本体５１から突設されたリブ状の半差し阻止片５５を備えている。
この半差し阻止片５５は、コネクタカバー５０をケース本体２５に装着したときに、基板側コネクタ４１に半差し状態で接続された外部コネクタ８０の端面８０ａに当接して外部コネクタ８０を基板側コネクタ４１に押し込んで完全に接続させることができるようにカバー本体から突設されている。或いは、半差し防止片５５は、外部コネクタ８０から上向きに湾曲して延びるハーネス８１を押圧して半差し状態にある外部コネクタを基板側コネクタ４１に対して完全に接続させるように構成してもよい。
このようにコネクタカバーを基板側保護ケースに装着する過程で半差し防止片５５が外部コネクタ８０を基板側コネクタ４１に押し込む操作が同時に実施されるため、格別の半差し修正作業を行うことなく確実に半差しを解消することができる。
【００３０】
また、コネクタカバー５０を基板保護ケースに装着完了した後においては、半差し防止片５５が外部コネクタ８０（又は／及び、ハーネス８１）を押圧し続けるため、図１３（ｂ）及び図１４（ｂ）（ｃ）に示すように指を差し入れてラッチ８７を操作してロックを解除したとしても外部コネクタを引き抜くことは不可能となる。また、治具を用いてカバー本体５１を変形させることによりカバー本体とケース本体２５との間隔を拡大させたとしても十分な突出長を有した半差し阻止片５５は外部コネクタを押圧し続けるか、或いは外部コネクタの取外し経路に位置し続けるため、外部コネクタを取り外すことは不可能となる。
本発明に係る半差し阻止片５５による外部コネクタの半差し、及び取外し防止のための構成は、上記実施形態に示したコネクタカバー５１以外の構造を有した他のコネクタカバーにも適用することができる。
【００３１】
以上のように本発明の基板保護ケースユニットの設置構造においては、基板保護ケースを係止するベース部材に、基板保護ケースの移動を規制する移動阻止部材と、基板保護ケース上のコネクタカバーの離脱を阻止するストッパ部材を設けたので、ベース部材を遊技機本体から離脱させない限り、コネクタカバーを取り外して不正外部コネクタと差し替える行為を実施することが不可能となる。つまり、不正行為者が基板保護ケース側に露出配置された基板側コネクタに対して接続されていた正規の外部コネクタを離脱させて不正外部コネクタを基板側コネクタに接続して不正なデータを供給して遊技を不正に進行させようとする行為を防止することができる。
【００３２】
また、本発明に係る基板保護ケースユニットでは、基板保護ケース側の基板側コネクタ４１に対して接続される外部コネクタ８０をコネクタカバー５０により覆うばかりでなく、外部コネクタに設けたロック解除用の解除片８６をコネクタカバーに設けた半差し阻止片５５により覆って解除操作できないように構成したので、コネクタカバーを取り外さない限り不正外部コネクタと差し替える行為を実施することが不可能となる。つまり、不正行為者が基板保護ケース側に露出配置された基板側コネクタに対して接続されていた正規の外部コネクタを離脱させて不正外部コネクタを基板側コネクタに接続して不正なデータを供給して遊技を不正に進行させようとする行為を防止することができる。
なお、半差し阻止片５５により外部コネクタ８０を押さえることにより、仮に不正行為者がラッチ８７を構成する解除片８６を針金、板等の治具を用いて押圧して解除方向へ動作させることができたとしても、半差し防止片５５が外部コネクタ８０の引抜きを防止し続けるため、外部コネクタの抜取りを防止することができる。
コネクタカバーによる外部コネクタ着脱防止機能と、操作阻止片による解除片の操作阻止機能の併用により、外部コネクタを離脱させた上での不正行為を効果的に防止することが可能となる。
本発明に係る基板保護ケースは、パチンコ遊技機、スロットマシン等の遊技機に装備される制御基板を収容する手段として利用可能である。
【符号の説明】
【００３３】
１…基板保護ケースユニット、２…ベース部材、３…係止部、５…ストッパ部材、５ａ…穴、２０…基板保護ケース、２１…台座、２１ａ…軸支部、２２…被係止部、２５…基板保護ケース本体（ケース本体）、２６…下ケース片、２６ａ…カシメ穴、２６ｂ…被軸支部、３０…上ケース片、３１…開口部、３２…カバー係止部、４０…制御基板、４１…基板側コネクタ、５０…コネクタカバー、５１…カバー本体、５２…カバー被係止部（カバー被係止突起）、５３…ストッパ突起、５５…半差し防止片（半差し防止及び抜取り防止片）、６０…移動阻止部材、６０ａ…移動阻止部材設置箇所、７０…遊技機本体、７１…開口、８０…外部コネクタ、８１…ハーネス、８５…ロック片、８６…解除片、８７…ラッチ
【図１】
2010187933.tif 000003
【図２】
2010187933.tif 000004
【図３】
2010187933.tif 000005
【図４】
2010187933.tif 000006
【図５】
2010187933.tif 000007
【図６】
2010187933.tif 000008
【図７】
2010187933.tif 000009
【図８】
2010187933.tif 000010
【図９】
2010187933.tif 000011
【図１０】
2010187933.tif 000012
【図１１】
2010187933.tif 000013
【図１２】
2010187933.tif 000014
【図１３】
2010187933.tif 000015
【図１４】
2010187933.tif 000016
【図１５】
2010187933.tif 000017
【図１６】
2010187933.tif 000018
【図１７】
2010187933.tif 000019